(57)【要約】【課題】直接冷却方式にて冷却される冷蔵室と、間接冷却方式にて冷却される冷凍室と、低温室とを備えたものにおいて、低温室の食品の保鮮を向上し、使い勝手の良い冷蔵庫を提供する。【解決手段】冷却パイプ１４は、冷蔵室６の内箱の背面に接しており、冷却パイプ１４の位置する前面に金属製の化粧板１５を設置することで、化粧板１５と内箱２背面間にはダクトが形成され、冷却パイプ１４により冷却された冷気はダクト内を自然落下し、仕切り板奥部の吐出口より低温室７へ冷気を供給することにより、低温室７は冷蔵室６より低温の温度に保つことができ、食品の保鮮性を向上することができる。また、化粧板１５を構成することで輻射効果が高められ、冷蔵室６の均温化も可能となる。【選択図】図１
2005221144.tif 000002
【特許請求の範囲】
【請求項１】
直接冷却方式にて冷却される冷蔵室と、間接冷却方式にて冷却される冷凍室と、前記冷蔵室の下方で冷蔵温度より低い低温室とを備え、前記直接冷却方式は冷蔵室の背面に配設した冷却パイプを冷却源とし、前記冷却パイプ配設部の前面に空間を有して良熱伝導性の化粧板を設置し、前記冷蔵室後方下部に前記低温室と連通する開口部を有することを特徴とする冷蔵庫。
【請求項２】
低温室後方に低温室用冷却ファンを設置したことを特徴とする請求項１記載の冷蔵庫。
【請求項３】
低温室の背面に低温室用冷却パイプを設置したことを特徴とする請求項１または２に記載の冷蔵庫。
【請求項４】
低温室用冷却ファンは、低温室後方上部に設置したことを特徴とする請求項２または３に記載の冷蔵庫。
【請求項５】
直接冷却方式にて冷却される冷蔵室と、間接冷却方式にて冷却される冷凍室と、前記冷蔵室の下方で冷蔵温度より低い低温室とを備え、前記直接冷却方式は冷蔵室の背面壁面の前面に配設した冷蔵室用冷却器を冷却源とし、前記冷蔵室後方下部に前記低温室と連通する開口部を有することを特徴とする冷蔵庫。
【請求項６】
低温室上面に低温室用冷却器を設置したことを特徴とする請求項１から５のいずれか一項に記載の冷蔵庫。
【発明の詳細な説明】
【技術分野】
【０００１】
本発明は、直接冷却方式にて冷却される冷蔵室と、間接冷却方式にて冷却される冷凍室と、低温室とを有する冷蔵庫に関するものである。
【背景技術】
【０００２】
従来、この種の冷蔵庫は、圧縮機から吐出された冷媒が凝縮器、絞り弁、蒸発器を通過し、再び圧縮機に戻る冷凍サイクルを構成し、蒸発器で冷却された冷却壁面により庫内を冷却する直接冷却式と、蒸発器で冷却された冷気を庫内へ循環させて庫内を冷却する間接冷却式がある。（例えば、特許文献１参照）。
【０００３】
以下、図面を参照しながら上記従来の冷蔵庫を説明する。
【０００４】
図９は、特許文献１に記載された従来の冷蔵庫の概略断面図を示すものである。図９に示すように、従来の冷蔵庫は、断熱効果のある仕切り板３５によって、冷蔵ゾーンと冷凍ゾーンとが上下に区画され、さらに、冷蔵ゾーン内は冷蔵室内仕切り板３６によって、冷蔵室６と保温室３７とが上下に区画形成されている。そして、冷蔵室６と保温室３７の内箱２を構成する、上下、左右、背面に接して冷却パイプ３８によって冷却される複数（天井、左右、背面壁）の冷却壁面を有する。冷蔵室６の庫内側となる背面壁の内箱壁面には、冷気ダクト３９が配置され、冷気ダクト３９の上方には冷蔵室用冷却ファン４０が配置されている。冷気ダクト３９は上方が吐出口４１、下方が吸込み口４２になっていて、前面からも複数のスリット上の開口４３によって冷気ダクト３９内への取入れがおこなえるようになっている。
【０００５】
また、冷凍ゾーン内では、冷凍室内仕切り板４４によって、第１冷凍室４５と第２冷凍室４６にそれぞれ仕切られており、冷凍ゾーン背面には冷却器２２と冷却用ファン２５を備えた構成となっている。
【特許文献１】特開２０００−２８２５７号公報
【発明の開示】
【発明が解決しようとする課題】
【０００６】
しかしながら、上記従来の構成では、冷蔵ゾーンを冷却するために冷気ダクトや冷蔵室用冷却ファンが必要であり、庫内の内容積が小さくなったりコストアップとなる。また保温室の温度は吐出冷気の下流側に位置し、冷蔵室の温度より高くなるという欠点を有していた。
【０００７】
本発明は従来の課題を解決するもので、独立した複数低温室を有し、それらを安価で冷蔵室より低い設定温度にコントロールすることにより、食品の保鮮を向上し、使い勝手の良い冷蔵庫を提供することを目的とする。
【課題を解決するための手段】
【０００８】
上記従来の課題を解決するために、本発明の冷蔵庫は、直接冷却方式にて冷却される冷蔵室と、間接冷却方式にて冷却される冷凍室と、前記冷蔵室の下方で冷蔵温度より低い低温室とを備え、前記直接冷却方式は冷蔵室の背面に配設した冷却パイプを冷却源とし、前記冷却パイプ配設部の前面に空間を有して良熱伝導性の化粧板を設置し、前記冷蔵室後方下部に前記低温室と連通する開口部を有するものである。
【０００９】
これによって、冷却パイプで熱伝導によって背面内箱壁面が冷却され、また輻射によって化粧板が冷却される。背面内箱壁面と化粧板との間にはダクトが形成され、自然対流で冷気が低温室に供給されることにより、低温室は冷蔵室より低温の温度に保つことができ、食品の保鮮性を向上することが可能となる。また、化粧板を構成することで輻射効果が高められ、冷蔵室の均温化が可能となる。
【発明の効果】
【００１０】
本発明の冷蔵庫は、冷蔵室と冷凍室と低温室とを有する冷蔵庫において、低温室は冷蔵室より低温の温度に保つことができ、食品の保鮮性を向上することができる。また、化粧板を構成することで輻射効果が高められ、冷蔵室の均温化ができる。
【発明を実施するための最良の形態】
【００１１】
請求項１に記載の発明は、直接冷却方式にて冷却される冷蔵室と、間接冷却方式にて冷却される冷凍室と、前記冷蔵室の下方で冷蔵温度より低い低温室とを備え、前記直接冷却方式は冷蔵室の背面に配設した冷却パイプを冷却源とし、前記冷却パイプ配設部の前面に空間を有して良熱伝導性の化粧板を設置し、前記冷蔵室後方下部に前記低温室と連通する開口部を有することにより、冷蔵室および冷凍室はそれぞれ独立して冷却することで、互いに影響なくそれぞれの庫内の温度を所定の温度に保つことができる。特に、冷蔵室を冷媒管を配した直冷冷却板等で冷却する直接冷却方式の場合、直冷冷却板の表面に付着した水分により冷蔵室内を高湿度に保つことができるとともに、低温室は冷蔵室より低温の温度に保つことができ、食品の保鮮性を向上することが可能となる。また、化粧板を構成することで輻射効果が高められ、冷蔵室の均温化が可能となる。
【００１２】
請求項２に記載の発明は、請求項１記載の発明において、低温室後方に低温室用冷却ファンを設置したことにより、さらに低温室は冷蔵室より低温の温度に保つことができ、より食品の保鮮性を向上することが可能となる。また、低温室に保存食品が多量に投入されたり、高負荷時に急速に冷却することが可能となる。
【００１３】
請求項３に記載の発明は、請求項１または２に記載の発明において、低温室の背面に低温室用冷却パイプを設置したことにより、さらに低温室は冷蔵室より低温の温度に保つことができ、より食品の保鮮性を向上することが可能となる。また、低温室用冷却パイプと冷却パイプとの長さ比率を変えることで、容易に低温室の温度設定をコントロールすることが可能となる。
【００１４】
請求項４に記載の発明は、請求項２または３に記載の発明において、低温室用冷却ファンは、低温室後方上部に設置したことにより、さらに低温室は冷蔵室より低温に保つことができ、より食品の保鮮性を向上することが可能となる。また、低温室に保存食品が多量に投入されたり高負荷時に急速に冷却することが可能となる。
【００１５】
請求項５に記載の発明は、直接冷却方式にて冷却される冷蔵室と、間接冷却方式にて冷却される冷凍室と、前記冷蔵室の下方で冷蔵温度より低い低温室とを備え、前記直接冷却方式は冷蔵室の背面壁面の前面に配設した冷蔵室用冷却器を冷却源とし、前記冷蔵室後方下部に前記低温室と連通する開口部を有することにより、低温室は冷蔵室より低温に保つことができ、より食品の保鮮性を向上することが可能となる。
【００１６】
請求項６に記載の発明は、請求項１から５のいずれか一項に記載の発明において、低温室上面に低温室用冷却器を設置したことにより、低温室内の温度分布を小さくすることができ、食品をどの位置に配置しても均一に冷却することが可能となる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における冷蔵庫の縦断面の図を示すものである。
【００１９】
図１において、冷蔵庫本体１は、内箱２と外箱３との間に断熱材４が充填された断熱箱体５によって構成された冷蔵庫を示している。冷蔵庫本体１は上から冷蔵室６、低温室７、冷凍室８を有しており、前面は冷蔵室開閉扉９、低温室開閉扉１０、冷凍室開閉扉１１となっている。
【００２０】
冷蔵室６と低温室７は断熱効果を有する仕切り板１２によって、低温室７と冷凍室８は断熱効果を有する仕切り板１３によって仕切られている。冷蔵室６の内箱２背面には、壁面に接して冷却パイプ１４（チューブオンシート）が配置され、冷蔵室６は冷却パイプ１４によって冷却される冷却壁面を有し、冷却パイプ１４の前面に化粧板１５を配置する構成となっている。また、低温室７内は、食品収納用ケース１６があり、仕切り板１２奥部には冷蔵室６と連通する開口部１７が構成されている。
【００２１】
図２は冷凍サイクルを示すものである。圧縮機１８から吐出された冷媒は、凝縮器１９で凝縮され、三方弁２０にて流路を切り替えている。一方は、キャピラリーチューブ２１で減圧され、冷却パイプ１４、冷却器２２にて蒸発し、アキュームレーター２３を介して、再度、圧縮機１８へ戻る冷蔵室・冷凍室同時冷却サイクルが構成されている。また、他方は、キャピラリーチューブａ２４で減圧され、冷却器２２にて蒸発し、アキュームレーター２３を介して、圧縮機１８へ戻る冷凍室単独冷却サイクルが構成されている。したがって、冷蔵室６は内箱２背面に接している冷却パイプ１４により冷却され、冷凍室８は冷却器２２の蒸発潜熱を冷却用ファン２５により撹拌し冷却している。
【００２２】
以上のように構成された冷蔵庫について、以下その動作、作用を説明する。
【００２３】
まず、圧縮機１８が稼動することで、冷媒が圧縮、凝縮、減圧されることにより冷却パイプ１４又は冷却器２２が蒸発潜熱によって冷却される。冷却パイプ１４は、冷蔵室６の内箱２の背面に接しており、冷蔵室６の内箱２の背面が冷却壁面となる。冷却パイプ１４の位置する前面に金属製の化粧板１５を設置することで、化粧板１５が冷却され、化粧板１５から輻射効果で冷蔵室６を冷却する。さらに、化粧板１５と内箱２背面間にはダクト２６が形成され、冷却パイプ１４により冷却された冷気はダクト２６内を自然落下し、仕切り板１２奥部の開口部１７より低温室７へ冷気が供給され、低温室７が冷却される。
【００２４】
一方、冷却室内２７にある冷却器２２においては、冷却用ファン２５によって冷気を吐出させ、仕切り板２８内の風路を通過し、吐出口２９より食品収納ケース３０へ吐出される。吐出した冷気は食品収納ケース３０と熱交換した後、仕切り板２８下部より吸い込まれる。
【００２５】
上記作用により、冷蔵室６は３℃前後に、低温室７は０℃前後、冷凍室８は−２０℃に冷却制御されるものである。
【００２６】
そして、本実施の形態では、冷却パイプで熱伝導によって背面内箱壁面が冷却され、また輻射によって化粧板が冷却される。背面内箱壁面と化粧板との間にはダクトが形成され、自然対流で冷気が低温室に供給されることにより、低温室は冷蔵室より低温の温度に保つことができ、食品の保鮮性を向上することが可能となる。また、化粧板を構成することで輻射効果が高められ、冷蔵室の均温化が可能となる。
【００２７】
（実施の形態２）
図３は、本発明の実施の形態２の冷蔵庫の縦断面の図を示すものである。尚、実施の形態１と同一構成については、同一符号を付してその詳細な説明は省略する。
【００２８】
図３において、冷蔵室６の内箱２背面には、壁面に接して冷却パイプ１４（チューブオンシート）が配置され、冷蔵室６は冷却パイプ１４によって冷却される冷却壁面を有し、冷却パイプ１４の前面に化粧板１５が配置されている。また、低温室７内は、食品収納用ケース１６があり、仕切り板１２奥部には冷蔵室６と連通する開口部１７があり、その下部に低温室用冷却ファン３１が設置された構成となっている。
【００２９】
なお、本実施の形態の冷蔵庫の冷凍サイクルは、図２に示す実施の形態１の冷凍サイクルと同一構成であるため、説明は除く。
【００３０】
以上のように構成された本実施形態の冷蔵庫について、以下、実施の形態１と異なる部分を中心に、その動作、作用を説明する。
【００３１】
冷却パイプ１４は、冷蔵室６の内箱２の背面に接しており、冷蔵室６の内箱２の背面が冷却壁面となる。冷却パイプ１４の位置する前面に金属製の化粧板１５を設置することで、化粧板１５が冷却され、化粧板１５から輻射熱で冷蔵室６を冷却する。さらに、化粧板１５と内箱２背面間にはダクト２６が形成され、冷却パイプ１４により冷却された冷気は低温室用冷却ファン３１によってダクト２６内をから仕切り板１２奥部の開口部１７を介して強制的に低温室７へ供給され、低温室７が冷却される。
【００３２】
以上のように、本実施の形態では、背面内箱壁面と化粧板との間にはダクトが形成され、化粧板下方に位置する低温室用冷却ファンで冷却パイプにて冷却された冷気が積極的に低温室に供給されることにより、低温室は冷蔵室より低温の温度に保つことができ、より食品の保鮮性を向上することが可能となる。また、低温室に保存食品が多量に投入されたり、高負荷時に急速に冷却することが可能となる。
【００３３】
（実施の形態３）
図４は、本発明の実施の形態３の冷蔵庫の縦断面の図を示すものである。尚、実施の形態１と同一構成については、同一符号を付してその詳細な説明は省略する。
図４において、冷蔵室６の内箱２背面には、壁面に接して冷却パイプ１４（チューブオンシート）が配置され、冷蔵室６は冷却パイプ１４によって冷却される冷却壁面を有し、冷却パイプ１４の前面に化粧板１５が配置する構成となっている。また、低温室７内は、食品収納用ケース１６があり、仕切り板１２奥部には冷蔵室６と連通する開口部１７が構成されている。さらに、低温室７の内箱２背面には、壁面に接して低温室用冷却パイプ３２が配置されている。
【００３４】
図５は冷凍サイクルを示すものである。圧縮機１８から吐出された冷媒は、凝縮器１９で凝縮され、三方弁２０にて流路を切り替えている。一方は、キャピラリーチューブ２１で減圧され、冷却パイプ１４、低温室用冷却パイプ３２、冷却器２２にて蒸発し、アキュームレーター２３を介して、再度、圧縮機１８へ戻る冷蔵室・冷凍室同時冷却サイクルが構成されている。また、他方は、キャピラリーチューブａ２４で減圧され、冷却器２２にて蒸発し、アキュームレーター２３を介して、圧縮機１８へ戻る冷凍室単独冷却サイクルが構成されている。したがって、冷蔵室６は内箱２背面に接している冷却パイプ１４により冷却され、低温室７は低温室用冷却パイプ３２により、冷凍室８は冷却器２２の蒸発潜熱を冷却用ファン２５により撹拌し冷却している。
【００３５】
以上のように構成された本実施形態の冷蔵庫について、以下、実施の形態１と異なる部分を中心に、その動作、作用を説明する。
【００３６】
基本的には低温室７の内箱２背面に、壁面に接して低温室用冷却パイプ３２によって、輻射熱で低温室７を冷却する。さらに、冷却パイプ１４は、冷蔵室６の内箱２の背面に接しており、冷蔵室６の内箱２の背面が冷却壁面となる。冷却パイプ１４の位置する前面に金属製の化粧板１５を設置することで、化粧板１５が冷却され、化粧板１５から輻射効果で冷蔵室６を冷却する。さらに、化粧板１５と内箱２背面間にはダクト２６が形成され、冷却パイプ１４により冷却された冷気はダクト２６内を自然落下し、仕切り板１２奥部の開口部１７より低温室７へ冷気が供給され、低温室７が冷却される。
【００３７】
以上のように、本実施の形態では、低温室の背面に低温室用冷却パイプを設置することにより、低温室の背面からの輻射効果により、さらに低温室は冷蔵室より低温の温度に保つことができ、より食品の保鮮性を向上することが可能となる。また、低温室用冷却パイプと冷却パイプとの長さ比率を変えることで、容易に低温室の温度設定をコントロールすることが可能となる。
【００３８】
（実施の形態４）
図６は、本発明の実施の形態４の冷蔵庫の縦断面の図を示すものである。尚、実施の形態１と同一構成については、同一符号を付してその詳細な説明は省略する。
【００３９】
図６において、冷蔵室６の内箱２背面には、壁面に接して冷却パイプ１４（チューブオンシート）が配置され、冷蔵室６は冷却パイプ１４によって冷却される冷却壁面を有し、冷却パイプ１４の前面に化粧板１５が配置する構成となっている。また、低温室７内は、食品収納用ケース１６があり、仕切り板１２奥部には冷蔵室６と連通する開口部１７が構成されている。さらに、低温室７の内箱２背面には、壁面に接して低温室用冷却パイプ３２が配置されており、低温室用冷却パイプ３２の前方に低温室用冷却ファン３１が配置されている。
【００４０】
なお、本実施の形態の冷蔵庫の冷凍サイクルは、図５に示す実施の形態３の冷凍サイクルと同一構成であるため、説明は除く。
【００４１】
以上のように構成された本実施形態の冷蔵庫について、以下、実施の形態３と異なる部分を中心に、その動作、作用を説明する。
【００４２】
低温室７の内箱２背面は、壁面に接して低温室用冷却パイプ３２によって、冷却される。さらに、冷却パイプ１４は、冷蔵室６の内箱２の背面に接しており、冷蔵室６の内箱２の背面が冷却壁面となる。冷却パイプ１４の位置する前面に金属製の化粧板１５を設置することで、化粧板１５が冷却され、化粧板１５から輻射熱で冷蔵室６を冷却する。さらに、化粧板１５と内箱２背面間にはダクト２６が形成され、冷却パイプ１４により冷却される。低温室用冷却ファン３１は、低温室用冷却パイプ３２によって冷却された冷気と、ダクト２６内をから仕切り板１２奥部の開口部１７を介して強制的に低温室７へ冷気を供給することで低温室７が冷却される。
【００４３】
以上のように、本実施の形態では、低温室用冷却パイプの前面に位置する低温室用冷却ファンによって、冷却パイプにて冷却された冷気と低温室用冷却パイプにて冷却された冷気を積極的に低温室に供給されることにより、さらに低温室は冷蔵室より低温に保つことができ、より食品の保鮮性を向上することが可能となる。また、低温室に保存食品が多量に投入されたり、高負荷時に急速に冷却することが可能となる。
【００４４】
（実施の形態５）
図７は、本発明の実施の形態５の冷蔵庫の縦断面の図を示すものである。尚、実施の形態２と同一構成については、同一符号を付してその詳細な説明は省略する。
【００４５】
図７において、冷蔵室６の内箱２背面の前面には冷蔵室用冷却器３３が内箱２と約１０ｍｍの隙間を確保して配置された構成となっている。また、低温室７内は、食品収納用ケース１６があり、仕切り板１２奥部には冷蔵室６と連通する開口部１７が構成され、その下部に低温室用冷却ファン３１が設置された構成となっている。
【００４６】
なお、本実施の形態の冷蔵庫の冷凍サイクルは、図２に示す実施の形態１の冷凍サイクルと同一構成であるため、説明は除く。
【００４７】
以上のように構成された冷蔵庫について、以下、実施の形態２と異なる部分を中心に、その動作、作用を説明する。
【００４８】
冷蔵室６の内箱２背面の前面には、冷蔵室用冷却器３３を設置することで、輻射効果で冷蔵室６を直接冷却する。さらに、冷蔵室用冷却器３３と内箱２背面間にはダクト２６が形成され、冷蔵室用冷却器３３により冷却された冷気は低温室用冷却ファン３１によってダクト２６内をから仕切り板１２奥部の開口部１７を介して強制的に低温室７へ冷気が供給され、低温室７が冷却される。
【００４９】
以上のように、本実施の形態では、冷蔵室用冷却器の冷却効率は冷蔵室の背面に接した冷却パイプより高く、また、背面内箱壁面との間にダクトが形成され、冷蔵室用冷却器下方に位置する低温室用冷却ファンで冷蔵室用冷却器にて冷却された冷気が積極的に低温室に供給されることにより、さらに低温室は冷蔵室より低温に保つことができ、より食品の保鮮性を向上することが可能となる。
【００５０】
（実施の形態６）
図８は、本発明の実施の形態６の冷蔵庫の縦断面の図を示すものである。尚、実施の形態１と同一構成については、同一符号を付してその詳細な説明は省略する。
【００５１】
図８において、冷蔵室６の内箱２背面には、壁面に接して冷却パイプ１４（チューブオンシート）が配置され、冷蔵室６は冷却パイプ１４によって冷却される冷却壁面を有し、冷却パイプ１４の前面に化粧板１５が配置する構成となっている。また、低温室７内は、食品収納用ケース１６があり、仕切り板１２奥部には冷蔵室６と連通する開口部１７が構成されている。さらに、冷蔵室６と低温室７は断熱効果を有する仕切り板１２の低温室７側には低温室用冷却器３４が設置されている。
【００５２】
なお、本実施の形態の冷蔵庫の冷凍サイクルは、図５に示す実施の形態３の冷凍サイクルと同一構成であるため、説明は除く。
【００５３】
以上のように構成された本実施形態の冷蔵庫について、以下、実施の形態１と異なる部分を中心に、その動作、作用を説明する。
【００５４】
基本的には、冷蔵室６と低温室７は断熱効果を有する仕切り板１２の低温室７側に配置された低温室用冷却器３４によって、低温室７の上部より輻射冷却される。さらに、冷却パイプ１４は、冷蔵室６の内箱２の背面に接しており、冷蔵室６の内箱２の背面が冷却壁面となる。冷却パイプ１４の位置する前面に金属製の化粧板１５を設置することで、化粧板１５が冷却され、化粧板１５から輻射熱で冷蔵室６を冷却する。さらに、化粧板１５と内箱２背面間にはダクト２６が形成され、冷却パイプ１４により冷却された冷気はダクト２６内を自然落下し、仕切り板１２奥部の開口部１７より低温室７へ供給され、低温室７が冷却される。
【００５５】
以上のように、本実施の形態では、低温室上部に低温室用冷却器を設置することにより、低温室用冷却器にて冷却された冷気が天面から低温室に自然落下することで、低温室内の温度分布を小さくすることができ、食品をどの位置に配置しても均一に冷却することが可能となる。
【産業上の利用可能性】
【００５６】
以上のように、本発明による冷蔵庫は、低温室は冷蔵室より低温の温度に保つことができ、食品の保鮮性を向上を図ることが可能となる。また、化粧板を構成することで冷蔵室への輻射効果が高められ、冷蔵室の均温化も可能となる。さらに、保存食品が多量に投入された高負荷時に急速に冷却することができ、容易に低温室の温度設定をコントロールすることも可能となる。さらに、低温室内の温度分布を小さくすることができ、食品をどの位置に配置しても均一に冷却することが可能となるので、冷凍機器等の用途にも適用できる。
【図面の簡単な説明】
【００５７】
【図１】本発明の実施の形態１における冷蔵庫の縦断面図
【図２】本発明の実施の形態１における冷凍サイクルの構成図
【図３】本発明の実施の形態２における冷蔵庫の縦断面図
【図４】本発明の実施の形態３における冷蔵庫の縦断面図
【図５】本発明の実施の形態３における冷凍サイクルの構成図
【図６】本発明の実施の形態４における冷蔵庫の縦断面図
【図７】本発明の実施の形態５における冷蔵庫の縦断面図
【図８】本発明の実施の形態６における冷蔵庫の縦断面図
【図９】従来技術における冷蔵庫の縦断面図
【符号の説明】
【００５８】
６    冷蔵室
７    低温室
８    冷凍室
１４    冷却パイプ
１５    化粧板
１７    開口部
３１    低温室用冷却ファン
３２    低温室用冷却パイプ
３３    冷蔵室用冷却器
３４    低温室用冷却器
【図１】
2005221144.tif 000003
【図２】
2005221144.tif 000004
【図３】
2005221144.tif 000005
【図４】
2005221144.tif 000006
【図５】
2005221144.tif 000007
【図６】
2005221144.tif 000008
【図７】
2005221144.tif 000009
【図８】
2005221144.tif 000010
【図９】
2005221144.tif 000011